(57)【要約】  計測装置３は、尿バッグ１００の質量値を計量する計量部１２と、計量部１２によって計量された質量値に基づいて、排尿量及び単位時間当たりの尿量の少なくとも一方を算出する制御部１４と、制御部１４によって算出された排尿量及び単位時間当たりの尿量の少なくとも一方に係る尿量情報を送信する通信部１８と、計量部１２、制御部１４及び通信部１８に電力を供給する第１バッテリー２２と、を備える。
2020054486.tif 000002
【特許請求の範囲】
【請求項１】
尿バッグに貯留される尿に係る情報を取得する計測装置であって、
前記尿バッグの質量値を計量する計量部と、
前記計量部によって計量された前記質量値に基づいて、排尿量及び単位時間当たりの尿量の少なくとも一方を算出する算出部と、
前記算出部によって算出された前記排尿量及び前記単位時間当たりの尿量の少なくとも一方に係る尿量情報を送信する送信部と、
前記計量部、前記算出部及び前記送信部に電力を供給する第１バッテリーと、を備える、計測装置。
【請求項２】
前記尿量情報を表示可能である表示部と、
前記表示部の表示内容を制御する制御部と、
前記第１バッテリーの状態を取得する取得部と、を備え、
前記制御部は、前記取得部によって取得された前記第１バッテリーの状態を前記表示部に表示させる、請求項１に記載の計測装置。
【請求項３】
前記制御部は、前記第１バッテリーの残量が閾値以下となった場合、残量が低下していることを前記表示部に表示させる、請求項２に記載の計測装置。
【請求項４】
前記尿量情報と予め設定された閾値とに基づいて、無尿、乏尿及び多尿を判断する判断部を備え、
前記送信部は、前記判断部において無尿、乏尿又は多尿であると判断された場合には、報知情報を送信する、請求項１〜３のいずれか一項に記載の計測装置。
【請求項５】
前記第１バッテリーから電力が供給されない場合に、少なくともメモリーバッグアップ用の電力を供給する第２バッテリーを備える、請求項１〜４のいずれか一項に記載の計測装置。
【請求項６】
請求項１〜５のいずれか一項に記載の計測装置と、
前記計測装置によって取得された尿に係る情報を取得する管理装置と、を備える計測システム。
【発明の詳細な説明】
【技術分野】
【０００１】
本発明は、計測装置及び計測システムに関する。
【背景技術】
【０００２】
病院等では、全身麻酔による手術後等、自分で排尿することが困難な患者に対して、尿バッグを用いる。尿バッグは、患者から排出された尿を貯留する。この尿バッグに貯留された尿量を計測する計測装置が知られている（例えば、特許文献１参照）。計測装置では、尿量を計測して、計測した尿量を表示部に表示する。
【先行技術文献】
【特許文献】
【０００３】
【特許文献１】特開２０１２−１０５９４７号公報
【発明の概要】
【発明が解決しようとする課題】
【０００４】
従来の計測装置では、尿量が表示部に表示される。そのため、看護師等の病院のスタッフは、定期的に病室を訪れて、表示部に表示される尿量を確認したり、尿バッグから尿をメスシリンダーへ取り出して計量したりして、尿の量を管理シート等に記載する。これにより、例えば、患者の術後の体調等を管理したり、尿バッグから排尿を行うタイミングの調整等をしたりしている。尿バッグの確認作業は、スタッフが定期的に病室を訪れて行う必要があり、スタッフの作業負担となり得る。特に、スタッフの人数が少なく、暗い中での作業となる夜間の確認作業は、スタッフの作業負担が大きくなる。【０００５】
計測装置は、通常、ベッドに取り付けられている。計測装置は、例えば患者がベッドから一時的に移動する場合、患者の移動と共に移動する必要がある。この場合、移動先において電源コンセントを確保して、計測装置に電力を供給する電源アダプタ等を取り付ける作業が発生する。【０００６】
本発明の一側面は、作業負担の軽減を図れる計測装置及び計測システムを提供することを目的とする。
【課題を解決するための手段】
【０００７】
本発明の一側面に係る計測装置は、尿バッグに貯留される尿に係る情報を取得する計測装置であって、尿バッグの質量値を計量する計量部と、計量部によって計量された質量値に基づいて、排尿量及び単位時間当たりの尿量の少なくとも一方を算出する算出部と、算出部によって算出された排尿量及び単位時間当たりの尿量の少なくとも一方に係る尿量情報を送信する送信部と、計量部、算出部及び送信部に電力を供給する第１バッテリーと、を備える。【０００８】
本発明の一側面に係る計測装置では、排尿量及び単位時間当たりの尿量の少なくとも一方を算出し、尿量情報を送信する。これにより、例えば他の端末は、尿量情報を受信することにより、尿量情報を取得できる。このように、計測装置では、スタッフが病室を訪れなくても、他の端末において、尿量情報に基づいて排尿量等を確認することが可能となる。したがって、スタッフの目視による確認作業を行う必要がない。そのため、計測装置では、スタッフの作業負担の軽減を図れる。また、人手が少なく、暗い中での作業となる夜間の確認について、スタッフの作業負担を軽減できる。【０００９】
計測装置は、計量部、算出部及び送信部に電力を供給する第１バッテリーを備えている。そのため、計測装置では、例えば患者が一時的に移動するときに、電源コンセントを確保しなくても、各部を駆動させることができる。したがって、スタッフの作業負担を軽減できる。また、計測装置では、計測装置の移動中等にも各部に対して電力を供給できる。したがって、計測装置では、計測装置の移動中等であっても、尿量情報を送信することができる。【００１０】
一実施形態においては、尿量情報を表示可能である表示部と、表示部の表示内容を制御する制御部と、第１バッテリーの状態を取得する取得部と、を備え、制御部は、取得部によって取得された第１バッテリーの状態を表示部に表示させてもよい。この構成では、第１バッテリーの状態（残量等）を表示部で確認することができる。【００１１】
一実施形態においては、制御部は、第１バッテリーの残量が閾値以下となった場合、残量が低下していることを表示部に表示させてもよい。この構成では、第１バッテリーの残量が低下した場合、第１バッテリーの充電が必要なことを報知できる。【００１２】
一実施形態においては、尿量情報と予め設定された閾値とに基づいて、無尿、乏尿及び多尿を判断する判断部を備え、送信部は、判断部において無尿、乏尿又は多尿であると判断された場合には、報知情報を送信してもよい。この構成では、無尿、乏尿又は多尿であることをスタッフに報知できる。また、計測装置では、バッテリーを備えているため、計測装置の移動中等においても、報知情報を送信することができる。【００１３】
一実施形態においては、第１バッテリーから電力が供給されない場合に、少なくともメモリーバッグアップ用の電力を供給する第２バッテリーを備えていてもよい。この構成では、電源部から及び第１バッテリーから電力が供給されない場合であっても、第２バッテリーによって、時計の設定、計測結果、計測履歴等、計測装置における設定等を維持することができる。【００１４】
本発明の一側面に係る計測システムは、上記に記載の計測装置と、計測装置によって取得された尿に係る情報を取得する管理装置と、を備える。【００１５】
本発明の一側面に係る計測システムでは、計測装置は、排尿量及び単位時間当たりの尿量の少なくとも一方を算出し、尿量情報を送信する。これにより、管理装置は、尿量情報を受信することにより、尿量情報を取得できる。このように、計測システムでは、スタッフが病室を訪れなくても、管理装置において、尿量情報に基づいて排尿量等を確認することが可能となる。したがって、スタッフの目視による確認作業を行う必要がない。そのため、計測システムでは、スタッフの作業負担の軽減を図れる。また、人手が少なく、暗い中での作業となる夜間の確認について、スタッフの作業負担を軽減できる。【００１６】
計測装置は、電源部から電力が供給されない場合に、計量部、算出部及び送信部に電力を供給するバッテリーを備えている。そのため、計測装置では、例えば患者が一時的に移動するときに、電源コンセントを確保しなくても、各部を駆動させることができる。したがって、スタッフの作業負担を軽減できる。また、計測装置では、計測装置の移動中等にも各部に対して電力を供給できる。したがって、計測システムでは、計測装置の移動中等であっても尿量情報を送信することができ、管理装置において尿量情報を取得できる。
【発明の効果】
【００１７】
本発明の一側面によれば、作業負担の軽減を図れる。
【図面の簡単な説明】
【００１８】
【図１】図１は、一実施形態に係る計測システムを示す図である。
【図２】図２は、計測装置を示す斜視図である。
【図３】図３は、計測装置を示す斜視図である。
【図４】図４は、図１に示す計測システムの計測装置の構成を示す図である。
【図５】図５は、計量部の構成を示す図である。
【図６】図６は、タッチパネルディスプレイに表示される画面の一例を示す図である。
【図７】図７は、タッチパネルディスプレイに表示される画面の一例を示す図である。
【図８】図８は、タッチパネルディスプレイに表示される画面の一例を示す図である。
【図９】図９は、タッチパネルディスプレイに表示される画面の一例を示す図である。
【図１０】図１０は、タッチパネルディスプレイに表示される画面の一例を示す図である。
【図１１】図１１は、タッチパネルディスプレイに表示される画面の一例を示す図である。
【図１２】図１２は、タッチパネルディスプレイに表示される画面の一例を示す図である。
【図１３】図１３は、管理装置の構成を示す図である。
【図１４】図１４は、表示部に表示される画面の一例を示す図である。
【図１５】図１５は、表示部に表示される画面の一例を示す図である。
【図１６】図１６は、他の実施形態に係る計測装置を示す斜視図である。
【図１７】図１７は、他の実施形態に係る計測装置を示す斜視図である。
【図１８】図１８は、他の実施形態に係る計測装置の正面図である。
【発明を実施するための形態】
【００１９】
以下、添付図面を参照して、本発明の好適な実施形態について詳細に説明する。なお、図面の説明において同一又は相当要素には同一符号を付し、重複する説明は省略する。
【００２０】
図１に示されるように、計測システム１は、計測装置３と、管理装置５と、を備えている。本実施形態では、計測装置３は、複数設けられている。計測装置３及び管理装置５は、無線ＬＡＮ（Local  Area  Network）等のネットワークＮを介して互いに通信可能とされている。計測システム１は、例えば、病院等において、尿バッグ１００（図２及び３参照）に貯留される患者の尿を管理する。
【００２１】
計測装置３は、尿バッグ１００に貯留される尿に係る情報を取得する。図２及び図３に示されるように、尿バッグ１００は、尿を貯留する貯留部１０２と、貯留部１０２に尿を導入する導尿管１０４と、を有している。尿バッグ１００には、貯留部１０２に貯留されている尿を排出する排尿管が設けられていてもよい。尿バッグ１００は、市販されている種々のバッグを用いることができる。
【００２２】
図４に示されるように、計測装置３は、ハウジング１０（図２及び図３参照）と、計量部１２と、制御部（算出部、取得部、判断部）１４と、タッチパネルディスプレイ（表示部）１６と、通信部（送信部）１８と、電源部２０と、第１バッテリー２２と、第２バッテリーと、を有している。
【００２３】
ハウジング１０は、例えば、ＡＢＳ樹脂等で形成されている。図２及び図３に示されるように、ハウジング１０は、保持部１０ａと、固定部１０ｂと、を有している。保持部１０ａには、導尿管１０４が配置される溝（凹部）１０ｃが設けられている。固定部１０ｂは、保持部１０ａの中央部に設けられている。固定部１０ｂは、保持部１０ａにおいて、揺動可能に設けられている。固定部１０ｂには、導尿管１０４が配置される溝１０ｄが設けられている。図３に示されるように、固定部１０ｂを開くことによって、保持部１０ａに対して導尿管１０４を取り付けることが可能となると共に、保持部１０ａから導尿管１０４を取り外すことが可能となる。図２に示されるように、固定部１０ｂを閉じることによって、溝１０ｃと溝１０ｄとにより導尿管１０４を挟持し、導尿管１０４を保持部１０ａに対して固定できる。固定部１０ｂは、保持部１０ａにおける導尿管１０４の移動を規制する。
【００２４】
図４に示されるように、ハウジング１０には、計測を開始する計測ボタンＢ（図２及び図３参照）と、ＵＳＢポートＰと、が設けられている。また、ハウジング１０には、計測装置３に電力を供給する電源コードＰＣが接続される接続部（図示省略）が設けられている。
【００２５】
電源コードＰＣの一端には、計測装置３の接続部に接続される端子が設けられており、電源コードＰＣの他端には、電源コンセントＰＯに接続されるコンセントプラグが設けられている。計測装置３は、電源コードＰＣのコンセントプラグが電源コンセントＰＯに接続されることにより、電源コンセントＰＯから電力の供給を受け得る。電源コンセントＰＯから供給された電力は、電源部２０に供給される。
【００２６】
ＵＳＢポートＰには、バーコードリーダ（読取装置）ＢＲが接続可能である。バーコードリーダＢＲは、患者情報を含むバーコードを読み取る。患者情報には、患者の氏名等が含まれ得る。バーコードは、例えば、患者の手首に取り付けられるバンドに表示されている。バーコードリーダＢＲは、読み取った患者情報を制御部１４に出力する。
【００２７】
ハウジング１０には、計測装置３をベッド又は点滴スタンド等に取り付けるための取付け部（図示省略）が設けられている。取付け部は、例えば、ハウジング１０の後面（背面）側に配置されている。取付け部は、ハウジング１０に対して着脱可能に設けられていてもよい。取付け部は、取り付け対象（ベッド、点滴スタンド等）に応じて、取り替え可能である。
【００２８】
計量部１２は、尿バッグの質量値を計量する。図５に示されるように、計量部１２は、ロードセル２４と、コンバータ２６と、を有している。
【００２９】
ロードセル２４は、ハウジング１０とフック２８とに接続されている。具体的には、ロードセル２４は、その一端がハウジング１０に固定されており、その他端にフック２８が設けられている。フック２８は、例えば、樹脂で形成されている。フック２８は、尿バッグ１００を係止可能な位置であり、ハウジング１０から突出する係止位置（図２に示される位置）と、尿バッグ１００を係止しないときにハウジング１０内に収容される収容位置と、に移動（揺動）可能である。フック２８は、尿バッグ１００を保持可能（尿バッグ１００が落下しない）形状であれば、如何なる形状であってもよい。
【００３０】
ロードセル２４は、フック２８に係止されている尿バッグ１００の貯留部１０２の質量を検知する。ロードセル２４は、尿バッグ１００の貯留部１０２の質量を検知し、当該質量に関する計量データ（質量値）をコンバータ２６へ出力する。ロードセル２４が出力する計量データは、計量する物品の質量に応じた電圧等のアナログ信号である。ロードセル２４は、半導体圧力センサ等の歪みを計る素子を含んで構成されている。ロードセル２４としては、特に限定されず、公知の種々のロードセルを採用できる。
【００３１】
コンバータ２６は、ロードセル２４から出力されたアナログ信号の計量データを、デジタル信号の計量データへ変換する。コンバータ２６は、計量データを制御部１４に出力する。
【００３２】
制御部１４は、ＣＰＵ（Central  Processing  Unit）、ＲＯＭ（Read  Only  Memory）、ＲＡＭ(Random  Access  Memory)及びＨＤＤ(Hard  Disc  Drive)等で構成されている。制御部１４は、操作者からの入力を受け付けて、計測装置３の各種設定を行う。制御部１４は、タッチパネルディスプレイ１６の待受画面Ｄ１において所定の操作が行われると、設定画面をタッチパネルディスプレイ１６に表示させる。
【００３３】
図６に示されるように、待受画面Ｄ１には、「患者名」、「患者ＩＤ」、「看護師名」、「日時」、「状態アイコン」、「選択アイコン」等が表示される。「状態アイコン」としては、例えば、第１バッテリー２２の状態（残量）を示す残量アイコンＡ１、電源コードＰＣの接続状態を示すアイコンＡ２、及び、無線ＬＡＮの接続状態（受信強度）を示すアイコンＡ３が表示される。「選択アイコン」には、履歴アイコンＡ４及び設定アイコンＡ５が表示される。制御部１４は、タッチパネルディスプレイ１６に表示されている待受画面Ｄ１において、設定アイコンＡ５がタッチされると、設定画面をタッチパネルディスプレイ１６に表示させる。
【００３４】
図７に示されるように、設定画面Ｄ２では、例えば、パラメータが設定可能である。設定画面Ｄ２には、例えば、パラメータの設定項目として、「時間当たりの尿量」、「無尿」、「乏尿」、「多尿」、「満杯通知の閾値」、「尿バッグの最大容量」、「ゼロ点範囲」等が表示される。「時間当たりの尿量」は、例えば、「１分（ｇ／ｍｉｎ）」、「１時間（ｇ／ｈｏｕｒ）」又は「１日（ｇ／ｄａｙ）」が設定可能である。「無尿」、「乏尿」、「多尿」、「満杯通知の閾値」、「尿バッグの最大容量」及び「零点範囲」では、数値（閾値）が設定可能である。
【００３５】
図８に示されるように、設定画面Ｄ３では、例えば、各種設定が可能である。設定画面Ｄ２では、「時間設定」、「患者／利用者情報」、「病棟設定」、「サンプリングタイム」、「言語設定」が設定可能である。「言語設定」では、例えば、日本語、英語等を選択できる。
【００３６】
また、他の設定画面では、例えば、無線接続に関する項目が設定可能である。設定画面には、例えば、無線接続の設定項目として、「Ｗｉ−ＦｉのＯＮ／ＯＦＦ」、「Ｗｉ−Ｆｉ  ＳＳＩＤ」、「Ｗｉ−Ｆｉ  パスワード」、「セキュリティ認証方式」、「ＩＰアドレス」、「サブネットマスク」、「ゲードウェイのＩＰアドレス」、「ＭＡＣアドレス」、「２．４ＧＨｚ／５ＧＨｚ」等が表示される。設定画面では、ＩＥＥＥ８０２．１１ｂ／ｇ／ｎ／ａ（２．４ＧＨｚ／５ＧＨｚ）の規格のいずれかによる通信が設定可能である。
【００３７】
制御部１４は、バーコードリーダＢＲから出力された患者情報を入力し、患者情報を登録する。制御部１４は、設定画面Ｄ２の「患者／利用者登録」の項目において、操作者によって所定の操作が行われると、バーコードリーダＢＲに読み取りを開始させる。制御部１４は、バーコードリーダＢＲから出力された患者情報を受け取ると、患者情報と、後述する尿量情報と、を対応付けて管理する。
【００３８】
制御部１４は、計量部１２によって計量された質量値に基づいて、排尿量及び単位時間当たりの尿量を算出する。制御部１４は、コンバータ２６から出力された計量データから重量を算出し、当該重量から風袋重量（尿バッグ１００等を含む重量）を差し引くことにより、尿の重量（排尿量）［ｇ］を算出する。制御部５４は、算出した尿の重量を示す尿量情報をＨＤＤ等に記憶させる。制御部１４は、算出した尿の重量に基づいて、単位時間当たりの尿量［ｇ］を算出する。制御部１４は、設定内容に応じて、単位時間（１時間又は１日）当たりの尿量を算出する。制御部１４は、算出した単位時間当たりの尿量をＨＤＤ等に記憶させる。
【００３９】
制御部１４は、排尿量及び単位時間当たりの尿量をタッチパネルディスプレイ１６に表示させる。図９に示されるように、制御部１４は、測定画面Ｄ４に、「排尿量」の数値［ｇ］と、「時間当たりの尿量」の数値［ｇ］と、を表示させる。制御部１４は、測定画面Ｄ４に、無尿、乏尿及び多尿に対する現在の単位時間当たりの尿量を視覚的に表示させる。具体的には、制御部１４は、無尿、乏尿及び多尿のパラメータが表示されているバーを表示させ、バー上に単位時間当たりの尿量を表示させる。
【００４０】
制御部１４は、尿量の履歴をタッチパネルディスプレイ１６に表示させる。制御部１４は、待受画面Ｄ１において履歴アイコンＡ４がタッチされると、量尿の履歴を表示させる。図１０に示されるように、履歴画面Ｄ５には、「排尿量」及び「尿流量（単位時間当たりの尿量）」について、履歴がグラフで表示される。履歴は、例えば、「１時間」、「１２時間」、「１日」、「１週間」及び「１ヶ月」の単位で表示可能である。図１０に示す例では、１週間の履歴を示している。制御部１４は、測定アイコンＡ６がタッチされると、図９に示される測定画面Ｄ４をタッチパネルディスプレイ１６に表示させる。
【００４１】
制御部１４は、単位時間当たりの尿量に基づいて、無尿、乏尿及び多尿を判断する。制御部１４は、予め設定されている無尿、乏尿及び多尿に関して設定されているパラメータに基づいて、無尿、乏尿及び多尿を判断する。制御部１４は、無尿、乏尿又は多尿であると判断した場合には、無尿、乏尿又は多尿であることをタッチパネルディスプレイ１６に表示させる報知情報をタッチパネルディスプレイ１６に出力する。図１１に示されるように、制御部１４は、例えば、タッチパネルディスプレイ１６に警告のポップアップを表示させる。制御部１４は、タッチパネルディスプレイ１６による表示と共に、ブザー等による報知を行ってもよい。制御部１４は、尿量情報に基づいて、排尿量が満杯通知の閾値以上となった場合には、尿バッグ１００が満杯となったことを報知する報知情報をタッチパネルディスプレイ１６に出力してもよい。
【００４２】
制御部１４は、第１バッテリー２２の状態を取得する。制御部１４は、第１バッテリー２２の残量を取得する。制御部１４は、第１バッテリー２２の残量に応じて、タッチパネルディスプレイ１６に表示される残量アイコンＡ１の表示を制御する。制御部１４は、第１バッテリー２２の残量が閾値以下となった場合、残量が低下していることをタッチパネルディスプレイ１６に表示させる。図１２に示されるように、制御部１４は、タッチパネルディスプレイ１６に第１バッテリー２２の残量が低下していることを示す（充電を促す）ポップアップを表示させる。制御部１４は、タッチパネルディスプレイ１６による表示と共に、ブザー等による報知を行ってもよい。
【００４３】
制御部１４は、尿量情報を通信部１８に出力する。制御部１４が尿量情報を通信部１８に出力するタイミングは、尿量情報を算出したタイミングであってもよいし、所定時間毎であってもよい。制御部１４は、通信部１８において、尿量情報を送信させる。
【００４４】
タッチパネルディスプレイ１６は、テキスト、画像等を表示可能であると共に、操作者の入力を受け付ける。本実施形態では、タッチパネルディスプレイ１６は、カラー（２５６色以上）での表示が可能である。タッチパネルディスプレイ１６は、制御部１４によって表示内容が制御される。
【００４５】
通信部１８は、尿量情報を無線送信する無線ＬＡＮモジュールである。通信部１８は、制御部１４から尿量情報が出力されると、尿量情報を、計測装置３の固有の識別コードと関連付けて無線送信する。通信部１８の通信方式としては、公知の種々の無線通信方式（ＩＥＥＥ８０２．１１ｂ／ｇ／ｎ／ａ）を利用できる。通信部１８は、制御部１４から報知情報が出力されると、報知情報を管理装置５に送信する。
【００４６】
電源部２０は、計測装置３の各部に電力を供給する。具体的には、電源部２０は、計量部１２、制御部１４、タッチパネルディスプレイ１６、及び、第１バッテリー２２に電力を供給する。電源部２０は、電源コードＰＣを介して、電源コンセントＰＯから電力の供給を受ける。
【００４７】
第１バッテリー２２は、電源部２０から電力が供給されない場合に、計量部１２、制御部１４及びタッチパネルディスプレイ１６に電力を供給する。第１バッテリー２２は、例えば、リチウムイオン電池である。第１バッテリー２２は、電源部２０から電力の供給を受けて、充電される。第１バッテリー２２の充電は、電源部２０に接続された充電装置（図示省略）によって行われる。第１バッテリー２２は、電源部２０から電力が供給されなくなった場合に、電力の供給を開始する。なお、第１バッテリー２２は、ハウジング１０において着脱可能であってもよい。この場合、第１バッテリー２２は、ナースステーション等に設けられている充電器によって充電することもできる。
【００４８】
第２バッテリー２３は、メモリーバッグアップ用の電力を供給する。第２バッテリー２３は、例えば、リチウムイオンバッテリーである。第２バッテリー２３は、第１バッテリー２２よりも容量が小さくてもよい。第２バッテリー２３は、電源部２０から電力が供給されず、且つ、第１バッテリー２２がハウジング１０から取り外されている場合や第１バッテリー２２の残量が低下している場合に、少なくとも制御部１４に対して電力を供給する。第２バッテリー２３は、電源部２０から電力の供給を受けて、充電される。
【００４９】
管理装置５は、計測装置３を統括的に管理する上位装置として機能する。管理装置５は、計測装置３で計測されたデータを管理する。管理装置５は、例えば、専用コンピュータで構成されてもよいし、市販のパーソナルコンピュータにソフトウェア（電子カルテのプログラム）をインストールして用いてもよい。
【００５０】
図１３に示されるように、管理装置５は、通信部５０と、記憶部５２と、制御部５４と、表示部５６と、を有している。
【００５１】
通信部５０は、尿量情報を無線受信する無線ＬＡＮモジュールである。通信部５０は、受信した尿量情報及び識別コードを記憶部５２に出力する。
【００５２】
記憶部５２は、ＲＯＭ、ＲＡＭ及びＨＤＤ等で構成されている。記憶部５２は、通信部５０が受信した尿量情報を、患者情報に関連付けて記憶する。
【００５３】
制御部５４は、ＣＰＵ等で構成されている。制御部５４は、例えばキーボード等の操作部（図示省略）の操作に応じて、表示部５６の表示を制御する。表示部５６は、例えば、コンピュータのディスプレイである。制御部５４は、例えば、患者の尿量情報の表示を要求する操作を受け付けた場合には、記憶部５２から尿量情報を取得し、表示部５６に表示させる。
【００５４】
図１４に示されるように、表示部５６の表示画面Ｄ６には、例えば、患者毎に、「排尿量」及び「時間当たりの尿量」が表示される。表示画面Ｄ６には、無尿、乏尿及び多尿に対する現在の単位時間当たりの尿量がバーで表示される。また、図１５に示されるように、表示部５６の表示画面Ｄ７には、各患者のデータが一覧で表示されてもよい。
【００５５】
制御部５４は、患者情報の入力を受け付け、患者情報を計測装置３に送信させてもよい。この構成では、計測装置３は、管理装置５から送信された患者情報を通信部１８によって受信し、患者情報を登録してもよい。また、計測装置３は、バーコードリーダＢＲによって読み取られた患者情報と、管理装置５から送信された患者情報とが一致した場合に、患者情報を登録してもよい。
【００５６】
続いて、計測システム１の利用方法について説明する。計測装置３を使用するためには、最初に、計測装置３に尿バッグ１００をセットする。続いて、計測装置３の電源ボタン（図示省略）を押下する。これにより、計測装置３の電源がＯＮとなる。計測装置３は、計測ボタンＢが押下されると、計測を開始する。計測装置３は、計測ボタンＢが押下されると、ゼロ点補正を行う。このとき、計測装置３は、尿バッグ１００に尿が所定量以上貯留されている場合、すなわち「ゼロ点範囲」以上の量の尿が尿バッグ１００に貯留されている場合には、ゼロ点補正を行わない。計測装置３は、ゼロ点補正の後、尿量の計測を開始する。計測装置３は、尿量の計測を開始すると、尿量情報を管理装置５に送信する。管理装置５は、尿量情報を受信すると、尿量情報に基づく値を電子カルテに入力する。
【００５７】
以上説明したように、本実施形態に係る計測システム１では、計測装置３は、排尿量及び単位時間当たりの尿量を算出し、尿量情報を管理装置５に送信する。これにより、管理装置５は、尿量情報を受信することにより、尿量情報を取得できる。このように、計測システム１では、スタッフが病室を訪れなくても、管理装置５において、尿量情報に基づいて排尿量等を確認することができる。したがって、スタッフの目視による確認作業を行う必要がない。そのため、計測装置３を備える計測システム１では、スタッフの作業負担の軽減を図れる。また、人手が少なく、暗い中での作業となる夜間の確認について、スタッフの作業負担を軽減できる。
【００５８】
計測装置３は、電源部２０から電力が供給されない場合に、計量部１２、制御部１４及び通信部１８に電力を供給する第１バッテリー２２を備えている。そのため、計測装置３では、例えば患者が一時的に移動するときに、電源コンセントＰＯを確保しなくても、各部を駆動させることができる。したがって、スタッフの作業負担を軽減できる。また、計測装置３では、計測装置３の移動中等にも各部（計量部１２、制御部１４及び通信部１８）に対して電力を供給できる。したがって、計測装置３では、計測装置の移動中等であっても、尿量情報を管理装置５に送信することができる。
【００５９】
本実施形態に係る計測システム１では、計測装置３は、尿量情報を表示可能であるタッチパネルディスプレイ１６を備えている。制御部１４は、第１バッテリー２２の状態を取得し、取得した第１バッテリー２２の状態をタッチパネルディスプレイ１６に表示させる。この構成では、第１バッテリー２２の状態（残量等）をタッチパネルディスプレイ１６で確認することができる。
【００６０】
本実施形態に係る計測システム１では、計測装置３の制御部１４は、第１バッテリー２２の残量が閾値以下となった場合、残量が低下していることをタッチパネルディスプレイ１６に表示させる。この構成では、第１バッテリー２２の残量が低下した場合、第１バッテリー２２の充電が必要なことを報知できる。
【００６１】
本実施形態に係る計測システム１では、計測装置３の制御部１４は、尿量情報と予め設定された閾値とに基づいて、無尿、乏尿及び多尿を判断し、無尿、乏尿又は多尿であると判断した場合には、報知情報を出力する。この構成では、無尿、乏尿又は多尿であることをスタッフに対して報知できる。
【００６２】
本実施形態に係る計測システム１では、計測装置３は、電源部２０及び第１バッテリー２２から電力が供給されない場合に、少なくともメモリーバッグアップ用の電力を供給する第２バッテリー２３を備える。この構成では、電源部２０から及び第１バッテリー２２から電力が供給されない場合であっても、第２バッテリー２３によって、時計の設定、計測結果、計測履歴等、計測装置３における設定等を維持することができる。
【００６３】
以上、本発明の実施形態について説明してきたが、本発明は必ずしも上述した実施形態に限定されるものではなく、その要旨を逸脱しない範囲で様々な変更が可能である。
【００６４】
上記実施形態では、計測装置３のハウジング１０が図１に示される構成である形態を一例に説明した。しかし、ハウジングの構成はこれに限定されない。図１６、図１７及び図１８に示されるように、計測装置３Ａは、ハウジング１０Ａと、タッチパネルディスプレイ１６と、を有している。計測装置３Ａは、計測装置３と同様に、計量部１２と、制御部１４と、通信部１８と、電源部２０と、第１バッテリー２２と、第２バッテリー２３と、を更に有している。
【００６５】
ハウジング１０Ａは、例えば、ＡＢＳ樹脂等で形成されている。ハウジング１０Ａは、円筒形状を呈している。ハウジング１０Ａは、保持部１０Ａａと、固定部１０Ａｂと、を有している。保持部１０Ａａには、導尿管１０４が配置される溝１０Ａｃ（図１８参照）が設けられている。固定部１０Ａｂは、保持部１０Ａａと対向する位置に設けられている。固定部１０Ａｂは、保持部１０Ａａにおいて、揺動可能に設けられている。固定部１０Ａｂには、導尿管１０４が配置される溝１０Ａｄ（図１８参照）が設けられている。固定部１０Ａｂを開くことによって、保持部１０Ａａに対して導尿管１０４を取り付けることが可能となると共に、保持部１０Ａａから導尿管１０４を取り外すことが可能となる。固定部１０Ａｂを閉じることによって、溝１０Ａｃと溝１０Ａｄとにより導尿管１０４を挟持し、導尿管１０４を保持部１０Ａａに対して固定できる。固定部１０Ａｂは、保持部１０Ａａにおける導尿管１０４の移動を規制する。ハウジング１０Ａには、取っ手１０Ａｅが設けられている。
【００６６】
上記実施形態では、計測装置３，３Ａのハウジング１０，１０Ａが保持部１０ａ，１０Ａａ及び固定部１０ｂが設けられている形態を一例に説明した。しかし、ハウジング１０には、保持部１０ａ及び固定部１０ｂが設けられていなくてもよい。
【００６７】
上記実施形態では、計測装置３，３Ａのハウジング１０，１０Ａに設けられているＵＳＢポートＰにバーコードリーダＢＲを接続し、バーコードリーダＢＲによって患者情報を含むバーコードを読み取る形態を一例に説明した。しかし、患者情報の取得方法はこれに限定されない。例えば、患者情報が２次元コードに含まれる場合には、２次元コードを読み取り可能である装置がＵＳＢポートＰに接続されればよい。患者情報が非接触ＩＣカードに含まれている場合には、非接触ＩＣカードを読み取り可能である装置がＵＳＢポートＰに接続されればよい。
【００６８】
上記実施形態では、計測装置３，３Ａにおいて、表示部がタッチパネルディスプレイ１６である形態を一例に説明した。しかし、計測装置３，３Ａは、表示部であるディスプレイと操作部であるキー（ボタン）等とを備えていてもよい。
【００６９】
上記実施形態では、第１バッテリー２２及び第２バッテリー２３がリチウムイオン電池である形態を一例に説明した。しかし、第１バッテリー２２及び第２バッテリー２３は、鉛蓄電池等、他の二次電池であってもよい。なお、本発明において、二次電池には、コンデンサは含まれない。
【００７０】
上記実施形態では、計測装置３，３Ａの制御部１４が、排尿量及び単位時間当たりの尿量を［ｇ］で算出する形態を一例に説明した。しかし、制御部１４は、排尿量及び単位時間当たりの尿量を［ｍｌ］で算出してもよい。また、計測装置３は、排尿量及び単位時間当たりの尿量の少なくとも一方を算出すればよい。
【００７１】
上記実施形態に加えて、計測装置３，３Ａは、尿量以外に、尿に関する情報を取得してもよい。計測装置３，３Ａは、例えば、尿に含まれる血液、尿に含まれる糖、尿の比重、尿に含まれるウロビリノーゲン、又は、尿蛋白等を検出する検出部を備えていてもよい。検出部は、計測装置３のハウジング１０に対して、着脱可能に設けられていてもよい。検出部は、制御部１４と通信可能に接続される。
【００７２】
本発明は、別の観点では、尿バッグに貯留される尿に係る情報を取得する計測装置であって、前記尿バッグの質量値を計量する計量部と、前記計量部によって計量された前記質量値に基づいて、排尿量及び単位時間当たりの尿量の少なくとも一方を算出する算出部と、前記算出部によって算出された前記排尿量及び前記単位時間当たりの尿量の少なくとも一方に係る尿量情報を送信する送信部と、電源コンセントからの電力の供給を受けて、前記計量部、前記算出部及び前記送信部に電力を供給する電源部と、前記電源部から電力が供給されない場合に、前記計量部、前記算出部及び前記送信部に電力を供給する第１バッテリーと、を備える、計量装置である。
【００７３】
また、本発明の一実施形態においては、前記電源部及び前記第１バッテリーから電力が供給されない場合に、少なくともメモリーバッグアップ用の電力を供給する第２バッテリーを備えていてもよい。
【符号の説明】
【００７４】
１…計測システム、３，３Ａ…計測装置、５…管理装置、１２…計量部、１４…制御部（算出部、取得部）、１６…タッチパネルディスプレイ（表示部）、１８…通信部（送信部）、２０…電源部、２２…第１バッテリー、２３…第２バッテリー、１００…尿バッグ。
【図１】
2020054486.tif 000003
【図２】
2020054486.tif 000004
【図３】
2020054486.tif 000005
【図４】
2020054486.tif 000006
【図５】
2020054486.tif 000007
【図６】
2020054486.tif 000008
【図７】
2020054486.tif 000009
【図８】
2020054486.tif 000010
【図９】
2020054486.tif 000011
【図１０】
2020054486.tif 000012
【図１１】
2020054486.tif 000013
【図１２】
2020054486.tif 000014
【図１３】
2020054486.tif 000015
【図１４】
2020054486.tif 000016
【図１５】
2020054486.tif 000017
【図１６】
2020054486.tif 000018
【図１７】
2020054486.tif 000019
【図１８】
2020054486.tif 000020
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
尿バッグに貯留される尿に係る情報を取得する計測装置であって、
前記尿バッグの質量値を計量する計量部と、
前記計量部によって計量された前記質量値に基づいて、排尿量及び単位時間当たりの尿量の少なくとも一方を算出する算出部と、
前記算出部によって算出された前記排尿量及び前記単位時間当たりの尿量の少なくとも一方に係る尿量情報を送信する送信部と、
前記計量部、前記算出部及び前記送信部に電力を供給する第１バッテリーと、
前記尿量情報を表示可能である表示部と、
前記表示部の表示内容を制御する制御部と、
前記第１バッテリーの状態を取得する取得部と、を備え、
前記制御部は、前記第１バッテリーの残量が閾値以下となった場合、残量が低下していることを前記表示部に表示させる、計測装置。
【請求項２】
前記尿量情報と予め設定された閾値とに基づいて、無尿、乏尿及び多尿を判断する判断部を備え、
前記送信部は、前記判断部において無尿、乏尿又は多尿であると判断された場合には、報知情報を送信する、請求項１に記載の計測装置。
【請求項３】
前記第１バッテリーから電力が供給されない場合に、少なくともメモリーバッグアップ用の電力を供給する第２バッテリーを備える、請求項１又は２に記載の計測装置。
【請求項４】
請求項１〜３のいずれか一項に記載の計測装置と、
前記計測装置によって取得された尿に係る情報を取得する管理装置と、を備える計測システム。
【国際調査報告】
2020054486.tif 000021
2020054486.tif 000022
2020054486.tif 000023
2020054486.tif 000024